【手続補正書】
【提出日】平成23年11月2日(2011.11.2)
【手続補正１】
【補正対象書類名】特許請求の範囲
【補正対象項目名】全文
【補正方法】変更
【補正の内容】
【特許請求の範囲】
【請求項１】
磁気共鳴イメージング中に歪みを補正する方法であって、
位相エンコーディング線におけるサンプリング点が低周波数領域に集中され、位相エンコーディング線におけるサンプリング点の数が全サンプリング点の数より少なくされて、複数の読出しエンコーディング方向においてＫ空間データが収集され、スライス選択勾配の軸に視野角傾斜補償勾配が重ね合わせられるステップと、
前記複数の読出しエンコーディング方向において収集された前記Ｋ空間データが結合されて最終画像に変換されるステップと
を含むことを特徴とする磁気共鳴イメージングにおける歪み補正方法。
【請求項２】
前記各読出しエンコーディング方向においてＫ空間データを収集する際に、全位相エンコーディング線をサンプリングして、位相エンコーディング方向において最大分解能を得るステップがさらに含まれることを特徴とする請求項１に記載の方法。
【請求項３】
前記各読出しエンコーディング方向においてＫ空間データが収集されるステップは、
並列収集モードまたは部分フーリエ画像化モードで前記複数の読出しエンコーディング方向においてＫ空間データが収集されるステップ
を含むことを特徴とする請求項１または２に記載の方法。
【請求項４】
前記複数の読出しエンコーディング方向においてＫ空間データが収集されるステップは、
ターボスピンエコーシーケンスまたはスピンエコーシーケンスを用いて前記複数の読出しエンコーディング方向においてＫ空間データが収集されるステップ
を含むことを特徴とする請求項１に記載の方法。
【請求項５】
前記スライス選択勾配の軸に視野角傾斜補償勾配が重ね合わせられるステップは、
読出し勾配の適用と同時に前記スライス選択勾配の軸に前記視野角傾斜補償勾配が重ね合わせられるステップ
を含むことを特徴とする請求項１に記載の方法。
【請求項６】
前記読出しエンコーディング方向の数をＮ（Ｎは正の整数）とすると、Ｋ空間の全読出しエンコーディング方向における回転増分角がπ／Ｎであることを特徴とする請求項１に記載の方法。
【請求項７】
前記位相エンコーディング線におけるサンプリング点の数と前記全サンプリング点の数との比率が任意の整数であり、前記Ｎが任意の整数であることを特徴とする請求項６に記載の方法。
【請求項８】
磁気共鳴イメージング中に歪みを補正する装置であって、
位相エンコーディング線におけるサンプリング点を低周波数領域に集中し、位相エンコーディング線におけるサンプリング点の数を全サンプリング点の数より少なくして、複数の読出しエンコーディング方向においてＫ空間データを収集し、スライス選択勾配の軸に視野角傾斜補償勾配を重ね合わせる収集ユニット（５０１）と、
前記複数の読出しエンコーディング方向において収集した前記Ｋ空間データを結合して最終画像に変換する結合ユニット（５０２）と
を備えることを特徴とする磁気共鳴イメージングにおける歪み補正装置。
【請求項９】
前記収集ユニット（５０１）が前記各読出しエンコーディング方向においてＫ空間データを収集する際、前記位相エンコーディング線はＫ空間全体に分布することを特徴とする請求項８に記載の装置。
【請求項１０】
前記結合ユニット（５０２）は、並列収集モードまたは部分フーリエモードで前記各読出しエンコーディング方向においてＫ空間データを収集することを特徴とする請求項８または９に記載の装置。
【請求項１１】
前記収集ユニット（５０１）は、ターボスピンエコーシーケンスまたはスピンエコーシーケンスを利用して前記複数の読出しエンコーディング方向において前記Ｋ空間データを収集することを特徴とする請求項８に記載の装置。
【請求項１２】
前記収集ユニット（５０１）は、読出し勾配の適用と同時に、前記スライス選択勾配の軸に前記視野角傾斜補償勾配を重ね合わせることを特徴とする請求項８に記載の装置。
【請求項１３】
前記収集ユニット（５０１）は、Ｎ個（Ｎは正の整数）の読出しエンコーディング方向において前記Ｋ空間データを収集し、Ｋ空間の全読出しエンコーディング方向における回転増分角はπ／Ｎであることを特徴とする請求項８に記載の装置。
【手続補正２】
【補正対象書類名】明細書
【補正対象項目名】０００７
【補正方法】変更
【補正の内容】
【０００７】
上述の課題を解決するために、本発明によれば、磁気共鳴イメージング中に歪みを補正する方法であって、位相エンコーディング線におけるサンプリング点が低周波数領域に集中され、その数（位相エンコーディング線におけるサンプリング点の数）が全サンプリング点の数より少なくされて、複数の読出し（ＲＯ）エンコーディング方向においてＫ空間データが収集されるステップと、スライス選択勾配の軸に視野角傾斜補償勾配が重ね合わせられるステップと、複数の読出しエンコーディング方向において収集されたＫ空間データが結合されて最終画像に変換されるステップとを含む、磁気共鳴イメージングにおける歪み補正方法が提供される。
【手続補正３】
【補正対象書類名】明細書
【補正対象項目名】０００８
【補正方法】変更
【補正の内容】
【０００８】
前記方法には、さらに、各読出し読出しエンコーディング方向においてＫ空間データを収集する際に、全位相エンコーディング線をサンプリングして、位相エンコーディング方向において最大分解能を得るステップが含まれる。
【手続補正４】
【補正対象書類名】明細書
【補正対象項目名】０００９
【補正方法】変更
【補正の内容】
【０００９】
各読出しエンコーディング方向においてＫ空間データが収集されるステップは、並列収集モードまたは部分フーリエ画像化モードで複数の読出しエンコーディング方向においてＫ空間データが収集されるステップを含む。
【手続補正５】
【補正対象書類名】明細書
【補正対象項目名】００１１
【補正方法】変更
【補正の内容】
【００１１】
スライス選択勾配の軸に視野角傾斜補償勾配が重ね合わせられるステップは、読出し勾配の適用と同時にスライス選択勾配の軸に視野角傾斜補償勾配が重ね合わせられるステップを含む。
【手続補正６】
【補正対象書類名】明細書
【補正対象項目名】００１２
【補正方法】変更
【補正の内容】
【００１２】
前記読出しエンコーディング方向の数をＮ（ここでＮは正の整数）とすると、Ｋ空間の全読出しエンコーディング方向における回転増分角はπ／Ｎである。
【手続補正７】
【補正対象書類名】明細書
【補正対象項目名】００１４
【補正方法】変更
【補正の内容】
【００１４】
上述の課題を解決するために、本発明によれば、磁気共鳴イメージング中に歪みを補正する装置であって、位相エンコーディング線におけるサンプリング点を低周波数領域に集中し、その数（位相エンコーディング線におけるサンプリング点の数）を全サンプリング点の数より少なくして、複数の読出しエンコーディング方向においてＫ空間データを収集し、スライス選択勾配の軸に視野角傾斜補償勾配を重ね合わせる収集ユニットと、複数の読出しエンコーディング方向において収集したＫ空間データを結合して最終画像に変換する結合ユニットとを備える、磁気共鳴イメージングにおける歪み補正装置が提供される。
【手続補正８】
【補正対象書類名】明細書
【補正対象項目名】００１７
【補正方法】変更
【補正の内容】
【００１７】
前記収集ユニットは、ターボスピンエコーシーケンスまたはスピンエコーシーケンスを利用して前記複数の読出しエンコーディング方向においてＫ空間データを収集する。
【手続補正９】
【補正対象書類名】明細書
【補正対象項目名】００１８
【補正方法】変更
【補正の内容】
【００１８】
前記収集ユニットは、読出し勾配の適用と同時に、スライス選択勾配の軸に視野角傾斜補償勾配を重ね合わせる。
【手続補正１０】
【補正対象書類名】明細書
【補正対象項目名】００１９
【補正方法】変更
【補正の内容】
【００１９】
前記収集ユニットは、Ｎ個（Ｎは正の整数）の読出し方向においてＫ空間データを収集する。Ｋ空間の全読出しエンコーディング方向における回転増分角はπ／Ｎである。